(57)【要約】【課題】  携帯電話を始めとする電子装置の使用中、体の一部を当てていることを検出して、表示部をＯＦＦする。【解決手段】  電子装置に体の一部を当てているか否かの検出方法としては、受話部から出力した超音波の反射音を検出し判定制御する手段、受話部から出力した音声の反射音を検出し判定制御する手段、使用中に体の一部に対面する向きのカメラで検出し判定制御する手段があり、上記のいずれか、又はそれぞれを適宜組み合わせたものとする。  上記の検出機能を搭載した電子装置において、使用中表示部ＯＦＦ時、使用者が任意のボタン、又は予め決められたボタンを押下することで、表示部への電力供給がＯＮされる手段。この手段も、上記のいずれか、又はそれぞれを適宜組み合わせたものとする。  又は、使用者が検出機能のＯＮ、ＯＦＦを設定できる機能と手段。この手段も、上記のいずれか、又はそれぞれを適宜組み合わせたものとする。【選択図】        図１
2006050505.tif 000002
【特許請求の範囲】
【請求項１】
電気回路への電力供給を行う電源部と、
使用者が電子装置を使用中、前記使用者が体の一部を接触又は接近させている状態であることを検出するための検出部と、
前記検出部の検出結果に基づいて前記使用者が体の一部を接触又は接近させているか否か判断し、体の一部を接触又は接近させていると判断した場合、体の一部を接触又は接近させている場合には動作不要な電気回路への前記電源部からの電力供給を停止し、体の一部を接触又は接近させていないと判断した場合、前記電気回路への前記電源部からの電力供給を行うよう制御する制御部と
を具備する
電子装置。
【請求項２】
請求項１に記載の電子装置において、
前記検出部は、前記使用者が電子装置を使用中、音波を出力し、前記音波が前記使用者から反射された反射音を受け取る受話部である
電子装置。
【請求項３】
請求項２に記載の電子装置において、
前記受話部は、
前記音波の送出及び受け取りを行い、マイクとしての機能も持つスピーカと、
電気信号を増幅する増幅器と、
を具備し、
前記スピーカから送出された前記音波が反射して発生した前記反射音が前記スピーカに当たると、前記マイク機能により前記反射音を前記電気信号に変換し、
前記制御部は前記電気信号による前記増幅器の負荷を分析、処理することで体の一部を接触又は接近させているか否か判断する
電子装置。
【請求項４】
請求項２又は３に記載の電子装置において、
前記音波は音声又は超音波である
電子装置。
【請求項５】
請求項２乃至４のいずれか一項に記載の電子装置において、
前記制御部は、前記電力供給を停止した後、前記反射音を検出するための検出機能を停止する
電子装置。
【請求項６】
請求項５に記載の電子装置において、
前記制御部が前記検出機能を停止しておく一定時間を示す間欠時間の値を格納する記憶部を具備し、
前記検出機能は前記間欠時間の値だけ待機し、前記間欠時間の経過後、前記制御部は前記検出機能を起動する
電子装置。
【請求項７】
請求項６に記載の電子装置において、
前記間欠時間による待機経過後、前記制御部は使用中の無音状態であるか判定し、無音状態でないと判定すれば検出機能は起動し、無音状態であると判定すれば前記検出機能の起動は中止し、再度、前記間欠時間だけ待機する
電子装置。
【請求項８】
請求項２乃至７のいずれか一項に記載の電子装置において、
前記音波の送出時間は前記反射音の検出時間より短い
電子装置。
【請求項９】
請求項８に記載の電子装置において、
前記制御部は、前記反射音検出時間内に前記反射音を受け取ったと判断した場合、前記使用者が体の一部を接触又は接近させているものとして処理し、前記反射音検出時間後ならば、前記反射音の受け取りの成否に関わらず、前記受話部に体の一部を接触又は接近させていないものとして処理する
電子装置。
【請求項１０】
請求項１に記載の電子装置において、
前記検出部は、使用者の居る環境の照度情報を初期照度、使用者が電子装置を使用中に検出した照度情報を現在照度として入力するカメラ部であり、
前記制御部は、前記初期照度から前記使用者が体の一部を接触又は接近させている又は接触又は接近させていないと判断するための閾値を求め、前記閾値と前記現在照度を比較し、前記現在照度の方が高ければ、体の一部を接触又は接近させていないと判断し、前記現在照度の方が低ければ、体の一部を接触又は接近させていると判断する
電子装置。
【請求項１１】
請求項１に記載の電子装置において、
前記検出部は、
使用者が当該電子装置を使用中、音波を出力し、前記音波が前記使用者から反射された反射音を受け取る受話部と、
使用者の居る環境の照度情報を初期照度、使用者が電子装置を使用中に検出した照度情報を現在照度として入力するカメラ部と、
近傍の物体の温度又は接近を感知するセンサー部と
のうちいくつかを組み合わせたものである
電子装置。
【請求項１２】
請求項１乃至１１のいずれか一項に記載の電子装置において、
前記使用者が押下するための少なくとも一つのボタンを持つ入力部を具備し、
前記使用者が任意のボタン、又は予め決められたボタンを押下することで、前記制御部が前記電源部から前記電気回路への電力供給を行うよう制御する
電子装置。
【請求項１３】
使用者が電子装置を使用中、前記使用者が体の一部を接触又は接近させている状態であることを検出するステップと、
前記検出の結果に基づいて前記使用者が体の一部を接触又は接近させているか否か判断し、体の一部を接触又は接近させていると判断した場合、体の一部を接触又は接近させている場合には動作不要な電気回路への電力供給を停止し、体の一部を接触又は接近させていないと判断した場合、前記電気回路への電力供給を行うステップと
を具備する
省電力化方法。
【請求項１４】
請求項１３に記載の省電力化方法において、
前記検出は、前記使用者が電子装置を使用中、音波を出力し、前記音波が前記使用者から反射された反射音を受け取ることである
省電力化方法。
【請求項１５】
請求項１４に記載の省電力化方法において、
前記音波の送出及び受け取りを行うステップと、
前記送出された前記音波が反射して発生した前記反射音を前記電気信号に変換するステップと、
前記電気信号による増幅器への負荷を分析、処理することで体の一部を接触又は接近させているか否か判断するステップとを具備する
省電力化方法。
【請求項１６】
請求項１４又は１５に記載の省電力化方法において、
前記音波は音声又は超音波である
省電力化方法。
【請求項１７】
請求項１４乃至１６のいずれか一項に記載の省電力化方法において、
前記電力供給を停止した後、前記反射音を検出するための検出機能を停止するステップを具備する
省電力化方法。
【請求項１８】
請求項１７に記載の省電力化方法において、
前記検出機能を停止しておく一定時間を示す間欠時間の値を格納するステップと、
前記間欠時間の経過後、前記検出機能を起動するステップと
を具備する
省電力化方法。
【請求項１９】
請求項１８に記載の省電力化方法において、
前記間欠時間による待機経過後、使用中の無音状態であるか判定し、無音状態でないと判定すれば検出機能は起動し、無音状態であると判定すれば前記検出機能の起動は中止し、再度、前記間欠時間だけ待機するステップを具備する
省電力化方法。
【請求項２０】
請求項１４乃至１９のいずれか一項に記載の省電力化方法において、
前記音波の送出時間は前記反射音の検出時間より短い
省電力化方法。
【請求項２１】
請求項２０に記載の省電力化方法において、
前記反射音検出時間内に前記反射音を受け取ったと判断した場合、前記使用者が体の一部を接触又は接近させているものとして処理し、前記反射音検出時間後ならば、前記反射音の受け取りの成否に関わらず、前記受話部に体の一部を接触又は接近させていないものとして処理するステップを具備する
省電力化方法。
【請求項２２】
請求項１３に記載の省電力化方法において、
使用者の居る環境の照度情報を初期照度、使用者が電子装置を使用中に検出した照度情報を現在照度として入力するステップと、
前記初期照度から前記使用者が体の一部を接触又は接近させている又は接触又は接近させていないと判断するための閾値を求め、前記閾値と前記現在照度を比較し、前記現在照度の方が高ければ、体の一部を接触又は接近させていないと判断し、前記現在照度の方が低ければ、体の一部を接触又は接近させていると判断するステップと
を具備する
省電力化方法。
【請求項２３】
請求項１３に記載の省電力化方法において、
使用者が電子装置を使用中、音波を出力し、前記音波が前記使用者から反射された反射音を受け取るステップと、
使用者の居る環境の照度情報を初期照度、使用者が電子装置を使用中に検出した照度情報を現在照度として入力するステップと、
近傍の物体の温度又は接近を感知するステップと
のうちいくつかを組み合わせて使用する
省電力化方法。
【請求項２４】
請求項１３乃至２３のいずれか一項に記載の省電力化方法において、
使用者が任意のボタン、又は予め決められたボタンを押下することで、制御部が電源部から前記電気回路への電力供給を行うよう制御するステップを具備する
省電力化方法。
【請求項２５】
使用者が電子装置を使用中、前記使用者が体の一部を接触又は接近させている状態であることを検出するステップと、
前記検出の結果に基づいて前記使用者が体の一部を接触又は接近させているか否か判断し、体の一部を接触又は接近させていると判断した場合、体の一部を接触又は接近させている場合には動作不要な電気回路への電力供給を停止し、体の一部を接触又は接近させていないと判断した場合、前記電気回路への電力供給を行うステップと
を具備する
省電力化プログラム。
【請求項２６】
請求項２５に記載の省電力化プログラムにおいて、
前記検出は、前記使用者が電子装置を使用中、音波を出力し、前記音波が前記使用者から反射された反射音を受け取ることである
省電力化プログラム。
【請求項２７】
請求項２６に記載の省電力化プログラムにおいて、
前記音波の送出及び受け取りを行うステップと、
前記送出された前記音波が反射して発生した前記反射音を前記電気信号に変換するステップと、
前記電気信号による増幅器への負荷を分析、処理することで体の一部を接触又は接近させているか否か判断するステップとを具備する
省電力化プログラム。
【請求項２８】
請求項２６又は２７に記載の省電力化プログラムにおいて、
前記音波は音声又は超音波である
省電力化プログラム。
【請求項２９】
請求項２６乃至２８のいずれか一項に記載の省電力化プログラムにおいて、
前記電力供給を停止した後、前記反射音を検出するための検出機能を停止するステップを具備する
省電力化プログラム。
【請求項３０】
請求項２９に記載の省電力化プログラムにおいて、
前記検出機能を停止しておく一定時間を示す間欠時間の値を格納するステップと、
前記間欠時間の経過後、前記検出機能を起動するステップと
を具備する
省電力化プログラム。
【請求項３１】
請求項３０に記載の省電力化プログラムにおいて、
前記間欠時間による待機経過後、使用中の無音状態であるか判定し、無音状態でないと判定すれば検出機能は起動し、無音状態であると判定すれば前記検出機能の起動は中止し、再度、前記間欠時間だけ待機するステップを具備する
省電力化プログラム。
【請求項３２】
請求項２６乃至３１のいずれか一項に記載の省電力化プログラムにおいて、
前記音波の送出時間は前記反射音の検出時間より短い
省電力化プログラム。
【請求項３３】
請求項３２に記載の省電力化プログラムにおいて、
前記反射音検出時間内に前記反射音を受け取ったと判断した場合、前記使用者が体の一部を接触又は接近させているものとして処理し、前記反射音検出時間後ならば、前記反射音の受け取りの成否に関わらず、前記受話部に体の一部を接触又は接近させていないものとして処理するステップを具備する
省電力化プログラム。
【請求項３４】
請求項２５に記載の省電力化プログラムにおいて、
使用者の居る環境の照度情報を初期照度、使用者が電子装置を使用中に検出した照度情報を現在照度として入力するステップと、
前記初期照度から前記使用者が体の一部を接触又は接近させている又は接触又は接近させていないと判断するための閾値を求め、前記閾値と前記現在照度を比較し、前記現在照度の方が高ければ、体の一部を接触又は接近させていないと判断し、前記現在照度の方が低ければ、体の一部を接触又は接近させていると判断するステップと
を具備する
省電力化プログラム。
【請求項３５】
請求項２５に記載の省電力化プログラムにおいて、
使用者が電子装置を使用中、音波を出力し、前記音波が前記使用者から反射された反射音を受け取るステップと、
使用者の居る環境の照度情報を初期照度、使用者が電子装置を使用中に検出した照度情報を現在照度として入力するステップと、
近傍の物体の温度又は接近を感知するステップと
のうちいくつかを組み合わせて使用する
省電力化プログラム。
【請求項３６】
請求項２５乃至３５のいずれか一項に記載の省電力化プログラムにおいて、
使用者が任意のボタン、又は予め決められたボタンを押下することで、制御部が電源部から前記電気回路への電力供給を行うよう制御するステップを具備する
省電力化プログラム。
【発明の詳細な説明】
【技術分野】
【０００１】
本発明は電子装置、省電力化方法及び省電力化プログラムに関する。
【背景技術】
【０００２】
電子装置の一例として携帯電話について述べる。携帯電話の使用中、使用者は携帯電話の受話部を耳に当てるため、例えば、表示部を見ることはない。一般的な携帯電話は、使用者が受話部を耳に当てているか否か判断できないため、通話中に見ることができない表示部に電源を供給し、無駄に電力を消費していた。
【０００３】
また、ＴＶ電話機能付き携帯電話によるＴＶ電話モードでの使用中、受話部を耳に当てる一般的な通話状態に移行する場合では、見ることのできない表示部や、使用していないカメラ、画像送受信用コーデックにも電源を供給していたため、無駄に電力を消費していた。
【０００４】
これらの問題に対応するための従来の技術として、イヤピース部に設置した光センサーとマイクから入力される音声レベル、距離センサーにより、携帯電話と使用者との距離を検知し、通常の通話位置にあるか否かを判断することで、表示機能の動作の制御を行っているものがある。（特許文献１参照）。
【０００５】
しかし、上記の従来技術では、イヤピース部に設置した光センサー及び距離センサーは、新たな部品を追加する必要がある。
また、マイクから入力される音声レベルは使用者の声の大きさや、使用時の環境により左右されやすく精度に欠ける可能性がある上、使用中絶えず検出制御をするため消費電力が大きくなる。
【０００６】
また、従来の技術には、本体筺体の傾きを検出することにより、表示機能の動作の制御を行っているものもある（特許文献２参照）。
【０００７】
しかし、上記の従来技術では、本体筺体の傾きを検出とあるが、携帯電話の傾きと通話状態は一般に相関がない。また、使用中絶えず検出制御をするため消費電力が大きくなる。
【０００８】
【特許文献１】特開２００２−１１１８０１
【特許文献２】特開平０７−３０７７７６
【発明の開示】
【発明が解決しようとする課題】
【０００９】
本発明の目的は、使用者が電子装置に体の一部を当てているか判定し、省電力化、通常電力化をする電子装置、省電力化方法及び省電力化プログラムを提供することである。
本発明の他の目的は、受話部から出力した超音波が使用者に当たり、反射した超音波を検出し判定制御する電子装置、省電力化方法及び省電力化プログラムを提供することである。
本発明の他の目的は、受話部から出力した音声が使用者に当たり、反射した音声を検出し判定制御する電子装置、省電力化方法及び省電力化プログラムを提供することである。
本発明の他の目的は、使用者が電子装置に体の一部を当てているか内向きのカメラで検出して判定制御する電子装置、省電力化方法及び省電力化プログラムを提供することである。
本発明の他の目的は、ＴＶ電話機能付き電子装置によるＴＶ電話モードでの使用中、受話部に体の一部を当てる使用状態に移行する際、表示部、カメラ、画像送受信用コーデックの電力供給をＯＦＦする電子装置、省電力化方法及び省電力化プログラムを提供することである。
本発明の他の目的は、使用者が任意のボタン、又は予め決められたボタンを押下することで、通常電力化する電子装置、省電力化方法及び省電力化プログラムを提供することである。
本発明の他の目的は、使用者が検出機能のＯＮ、ＯＦＦを設定できる電子装置、省電力化方法及び省電力化プログラムを提供することである。
【課題を解決するための手段】
【００１０】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１１】
本発明の電子装置は、電気回路への電力供給を行う電源部（１０７）と、使用者が電子装置を使用中、前記使用者が体の一部を接触又は接近させている状態であることを検出するための検出部と、前記検出部の検出結果に基づいて前記使用者が体の一部を当てているか否か判断し、体の一部を当てていると判断した場合、体の一部を当てている場合には動作不要な電気回路への前記電源部（１０７）からの電力供給を停止し、体の一部を当てていないと判断した場合、前記電気回路への前記電源部（１０７）からの電力供給を行うよう制御する制御部（１０１）とを具備する。
【００１２】
本発明の電子装置において、前記検出部は、前記使用者が電子装置を使用中、音波を出力し、前記音波が前記使用者から反射された反射音を受け取る受話部（１０２）である。
【００１３】
本発明の電子装置において、前記受話部（１０２）は、前記音波の送出及び受け取りを行い、マイクとしての機能も持つスピーカ（３０１）と、電気信号を増幅する増幅器（３０５）とを具備し、前記スピーカ（３０１）から送出された前記音波が反射して発生した前記反射音が前記スピーカ（３０１）に当たると、前記マイク機能により前記反射音を前記電気信号に変換し、前記制御部（１０１）は前記電気信号による前記増幅器（３０５）の負荷を分析、処理することで体の一部を当てているか否か判断する。
【００１４】
本発明の電子装置において、前記音波は音声又は超音波である。
【００１５】
本発明の電子装置において、前記制御部（１０１）は、前記電力供給を停止した後、前記反射音を検出するための検出機能を停止する。
【００１６】
本発明の電子装置は、前記制御部（１０１）が前記検出機能を停止しておく一定時間を示す間欠時間の値を格納する記憶部（１０６）を具備し、前記検出機能は前記間欠時間の値だけ待機し、前記間欠時間の経過後、前記制御部（１０１）は前記検出機能を起動する。
【００１７】
本発明の電子装置は、前記間欠時間による待機経過後、前記制御部（１０１）は使用中の無音状態であるか判定し、無音状態でないと判定すれば検出機能は起動し、無音状態であると判定すれば前記検出機能の起動は中止し、再度、前記間欠時間だけ待機する。
【００１８】
本発明の電子装置において、前記音波の送出時間は前記反射音の検出時間より短い。
【００１９】
本発明の電子装置において、前記制御部（１０１）は、前記反射音検出時間内に前記反射音を受け取ったと判断した場合、前記使用者が体の一部を当てているものとして処理し、前記反射音検出時間後ならば、前記反射音の受け取りの成否に関わらず、前記受話部（１０２）に体の一部を当てていないものとして処理する。
【００２０】
本発明の電子装置において、前記検出部は、使用者の居る環境の照度情報を初期照度、使用者が電子装置を使用中に検出した照度情報を現在照度として入力するカメラ部（６０２）であり、前記制御部（６０１）は、前記初期照度から前記使用者が体の一部を接触又は接近させている又は接触又は接近させていないと判断するための閾値を求め、前記閾値と前記現在照度を比較し、前記現在照度の方が高ければ、体の一部を接触又は接近させていないと判断し、前記現在照度の方が低ければ、体の一部を接触又は接近させていると判断する。
【００２１】
本発明の電子装置において、前記検出部は、使用者が電子装置を使用中、音波を出力し、前記音波が前記使用者から反射された反射音を受け取る受話部（１００２Ａ）と、使用者の居る環境の照度情報を初期照度、使用者が電子装置を使用中に検出した照度情報を現在照度として入力するカメラ部（１００２Ｂ）と、近傍の物体の温度又は接近を感知するセンサー部（１００２Ｃ）とのうちいくつかを組み合わせたものである。
【００２２】
本発明の電子装置は、前記使用者が押下するための少なくとも一つのボタンを持つ入力部（１００５）を具備する。
前記使用者が任意のボタン、又は予め決められたボタンを押下することで、前記制御部（１００１）が前記電源部（１００７）から前記電気回路への電力供給を行うよう制御する。
【００２３】
本発明の省電力化方法は、使用者が電子装置を使用中、前記使用者が体の一部を接触又は接近させている状態であることを検出するステップと、前記検出の結果に基づいて前記使用者が体の一部を接触又は接近させているか否か判断し、体の一部を接触又は接近させていると判断した場合、体の一部を接触又は接近させている場合には動作不要な電気回路への電力供給を停止し、体の一部を接触又は接近させていないと判断した場合、前記電気回路への電力供給を行うステップとを具備する。
【００２４】
本発明の省電力化方法において、前記検出は、前記使用者が電子装置を使用中、音波を出力し、前記音波が前記使用者から反射された反射音を受け取ることである。
【００２５】
本発明の省電力化方法は、前記音波の送出及び受け取りを行うステップと、前記送出された前記音波が反射して発生した前記反射音を前記電気信号に変換するステップと、前記電気信号による増幅器への負荷を分析、処理することで体の一部を接触又は接近させているか否か判断するステップとを具備する。
【００２６】
本発明の省電力化方法において、前記音波は音声又は超音波である。
【００２７】
本発明の省電力化方法は、前記電力供給を停止した後、前記反射音を検出するための検出機能を停止するステップを具備する。
【００２８】
本発明の省電力化方法は、前記検出機能を停止しておく一定時間を示す間欠時間の値を格納するステップと、前記間欠時間の経過後、前記検出機能を起動するステップとを具備する。
【００２９】
本発明の省電力化方法は、前記間欠時間による待機経過後、使用中の無音状態であるか判定し、無音状態でないと判定すれば検出機能は起動し、無音状態であると判定すれば前記検出機能の起動は中止し、再度、前記間欠時間だけ待機するステップを具備する。
【００３０】
本発明の省電力化方法において、前記音波の送出時間は前記反射音の検出時間より短い。
【００３１】
本発明の省電力化方法は、前記反射音検出時間内に前記反射音を受け取ったと判断した場合、前記使用者が体の一部を当てているものとして処理し、前記反射音検出時間後ならば、前記反射音の受け取りの成否に関わらず、前記受話部（１０２）に体の一部を当てていないものとして処理するステップを具備する。
【００３２】
本発明の省電力化方法は、使用者の居る環境の照度情報を初期照度、使用者が電子装置を使用中に検出した照度情報を現在照度として入力するステップと、前記初期照度から前記使用者が体の一部を接触又は接近させている又は接触又は接近させていないと判断するための閾値を求め、前記閾値と前記現在照度を比較し、前記現在照度の方が高ければ、体の一部を接触又は接近させていないと判断し、前記現在照度の方が低ければ、体の一部を接触又は接近させていると判断するステップとを具備する。
【００３３】
本発明の省電力化方法は、使用者が電子装置を使用中、音波を出力し、前記音波が前記使用者から反射された反射音を受け取るステップと、使用者の居る環境の照度情報を初期照度、使用者が電子装置を使用中に検出した照度情報を現在照度として入力するステップと、近傍の物体の温度又は接近を感知するステップとのうちいくつかを組み合わせて使用する。
【００３４】
本発明の省電力化方法は、使用者が任意のボタン、又は予め決められたボタンを押下することで、制御部（１００１）が電源部（１００７）から前記電気回路への電力供給を行うよう制御するステップを具備する。
【００３５】
本発明の省電力化プログラムは、使用者が電子装置を使用中、前記使用者が体の一部を接触又は接近させている状態であることを検出するステップと、前記検出の結果に基づいて前記使用者が体の一部を接触又は接近させているか否か判断し、体の一部を接触又は接近させていると判断した場合、体の一部を接触又は接近させている場合には動作不要な電気回路への電力供給を停止し、体の一部を接触又は接近させていないと判断した場合、前記電気回路への電力供給を行うステップとを具備する。
【００３６】
本発明の省電力化プログラムにおいて、前記検出は、前記使用者が電子装置を使用中、音波を出力し、前記音波が前記使用者から反射された反射音を受け取ることである。
【００３７】
本発明の省電力化プログラムは、前記音波の送出及び受け取りを行うステップと、前記送出された前記音波が反射して発生した前記反射音を前記電気信号に変換するステップと、前記電気信号による増幅器への負荷を分析、処理することで体の一部を接触又は接近させているか否か判断するステップとを具備する。
【００３８】
本発明の省電力化プログラムにおいて、前記音波は音声又は超音波である。
【００３９】
本発明の省電力化プログラムは、前記電力供給を停止した後、前記反射音を検出するための検出機能を停止するステップを具備する。
【００４０】
本発明の省電力化プログラムは、前記検出機能を停止しておく一定時間を示す間欠時間の値を格納するステップと、前記間欠時間の経過後、前記検出機能を起動するステップとを具備する。
【００４１】
本発明の省電力化プログラムは、前記間欠時間による待機経過後、使用中の無音状態であるか判定し、無音状態でないと判定すれば検出機能は起動し、無音状態であると判定すれば前記検出機能の起動は中止し、再度、前記間欠時間だけ待機するステップを具備する。
【００４２】
本発明の省電力化プログラムにおいて、前記音波の送出時間は前記反射音の検出時間より短い。
【００４３】
本発明の省電力化プログラムは、前記反射音検出時間内に前記反射音を受け取ったと判断した場合、前記使用者が体の一部を当てているものとして処理し、前記反射音検出時間後ならば、前記反射音の受け取りの成否に関わらず、前記受話部（１０２）に体の一部を当てていないものとして処理するステップを具備する。
【００４４】
本発明の省電力化プログラムは、使用者の居る環境の照度情報を初期照度、使用者が電子装置を使用中に検出した照度情報を現在照度として入力するステップと、前記初期照度から前記使用者が体の一部を接触又は接近させている又は接触又は接近させていないと判断するための閾値を求め、前記閾値と前記現在照度を比較し、前記現在照度の方が高ければ、体の一部を接触又は接近させていないと判断し、前記現在照度の方が低ければ、体の一部を接触又は接近させていると判断するステップとを具備する。
【００４５】
本発明の省電力化プログラムは、使用者が電子装置を使用中、音波を出力し、前記音波が前記使用者から反射された反射音を受け取るステップと、使用者の居る環境の照度情報を初期照度、使用者が電子装置を使用中に検出した照度情報を現在照度として入力するステップと、近傍の物体の温度又は接近を感知するステップとのうちいくつかを組み合わせて使用する。
【００４６】
本発明の省電力化プログラムは、使用者が任意のボタン、又は予め決められたボタンを押下することで、制御部（１００１）が電源部（１００７）から前記電気回路への電力供給を行うよう制御するステップを具備する。
【発明の効果】
【００４７】
電子装置で使用する場合、検出機能により、使用者が電子装置に体の一部を当てているか否かを判定し、体の一部を当てている時には、その状態では動作不要な電気回路への電力供給をＯＦＦすることで省電力化を実現する。
上記の電気回路への電力供給のＯＦＦ時に、使用者が任意のボタン、又は予め決められたボタンを押下することで、体の一部を当てている時には動作不要な電気回路への電力供給が再びＯＮされるようにすることで、電力供給の再開を容易にする。
上記の検出機能を搭載した電子装置において、使用中に使用者が電子装置に体の一部を当てているか否かの検出機能のＯＮ、ＯＦＦを使用者が自由に設定できるようにする。
上記の検出機能を適宜組み合わせることにより、検出精度の向上を図ることができることができる。
ＴＶ電話機能付き電子装置によるＴＶ電話モードでの使用中、受話部に体の一部を当てる一般的な使用状態に移行する場合、表示部、カメラ、画像送受信用コーデックをＯＦＦすることで消費電力を抑えることができる。
【発明を実施するための最良の形態】
【００４８】
本発明における電子装置の例として、携帯電話やコードレス電話の子機を始めとする通信装置、ポータブルＭＤ（ミニディスク）を始めとする音響再生装置が挙げられる。但し、実際には、これらの例に限定されるものではなく、使用者の体の一部を接触又は接近させて使用する方式の電子機器であれば良い。また、使用者が電子装置に体の一部を当てる際は、直に接触する場合に限らず、例えば、衣類の上から間接的に接触しても良い。体の一部の例としては、耳や手が挙げられる。但し、実際には、これらの例に限定されるものではない。
【００４９】
以下に本発明の第１の実施形態について添付図面を参照して説明する。
以下に、電子装置で使用開始後、体の一部を当てて使用する場合について説明する。
まず、図１を参照して第１の実施形態の構成図を説明する。
第１の実施形態の電子装置は、制御部１０１と、受話部１０２と、表示部１０３と、無線部１０４と、入力部１０５と、記憶部１０６を備える。
制御部１０１は、受話部１０２、表示部１０３、無線部１０４、入力部１０５、及び記憶部１０６と接続されている。
【００５０】
制御部１０１は電子装置の各部を制御し、各種機能を起動させる。
受話部１０２は音波を出力する装置であり、使用中に使用者の体の一部を当てられる。また、音を受けることも可能である。ここでいう音波とは、超音波、通話相手側の音声、又は電子装置が発生／再生する音声のことである。
表示部１０３はＬＣＤとバックライトから構成され、文字又は画像の画面表示を行う。
無線部１０４は無線通信によるデータの送受信を行う装置である。なお、当該電子装置がポータブルＭＤ（ミニディスク）を始めとする通信を行わない音響再生装置の場合、無線部１０４は不要である。
入力部１０５は利用者からの命令や操作に関する入力を受け付ける装置である。
記憶部１０６はプログラムやデータを保存する記憶装置である。
電源部１０７は主にバッテリーであり、電気回路に電力供給を行う。なお、電源部１０７は着脱可能なバッテリーの他、電子装置や電気回路に内蔵されたバッテリーや電池も含む。
【００５１】
本発明の第１の実施形態の動作について図２のフローチャートにより説明する。
電子装置の使用者の入力操作又は制御部１０１の自動制御により、検出機能を起動させる（ステップＳ２０１）。
なお、上記の検出機能は、制御部１０１又は受話部１０２が備えているものとする。
【００５２】
制御部１０１は、起動させた検出機能により、使用者が電子装置に体の一部を当てているか否か判断する（ステップＳ２０２）。
検出方法としては、受話部１０２から出力した超音波の反射音を検出し判定制御する手段、受話部１０２から出力した音声の反射音を検出し判定制御する手段がある。
実際には、上記のいずれか、又はそれぞれを適宜組み合わせたものとする。
【００５３】
制御部１０１は、上記（ステップＳ２０２）の判断により、使用者が電子装置に体の一部を当てていると判断すれば（ステップＳ２０３）に、使用者が電子装置に体の一部を当てていないと判断すれば（ステップＳ２０６）に進む。
【００５４】
制御部１０１は、上記（ステップＳ２０２）の判断により、使用者が電子装置に体の一部を当てていると判断した場合、体の一部を当てている時には動作不要な電気回路への電源部１０７からの電力供給をＯＦＦすることで省電力化する（ステップＳ２０３）。
ここで述べる動作不要な電気回路とは、メインＬＣＤやバックライトを始めとする、使用中に使用する必要がない機能のための電気回路のことである。
【００５５】
上記（ステップＳ２０２）における検出及び判定を行った後、検出機能は不要となるため、制御部１０１は検出機能をＯＦＦする（ステップＳ２０４）。
【００５６】
予め記憶部に格納された間欠時間の値だけ一定時間待機する（ステップＳ２０５）。
待機時間経過後（ステップＳ２０１）に移行する。
【００５７】
制御部１０１は、上記（ステップＳ２０２）の判断により、体の一部を当てていないと判断した場合、通常電力化する。（ステップＳ２０６）。
通常電力化とは、省電力化でＯＦＦした電気回路への電源部１０７からの電力供給をＯＮすることである。
【００５８】
上記（ステップＳ２０２）における検出及び判定を行った後、検出機能は不要となるため、制御部１０１は検出機能をＯＦＦする（ステップＳ２０７）。
【００５９】
制御部１０１は、使用中か否か判断する（ステップＳ２０８）。
使用中と判断すれば、予め記憶部に格納された間欠時間の値だけ一定時間待機する（ステップＳ２０９）。
【００６０】
上記（ステップＳ２０８）の判断により、使用中であれば、待機時間経過後（ステップＳ２０１）の処理に移行する。
【００６１】
図３により、第１の実施形態における受話部周辺の構成を説明する。
受話部１０２は、スピーカ３０１と、ミキサ（Ｍｉｘｅｒ）３０２と、ハイパスフィルタ３０３と、ローパスフィルタ３０４と、アンプ３０５と、アンプ３０６と、アンプ３０７と、受話制御部３０８と、タイマー３０９を備える。
なお、受話部１０２はスピーカ３０１のみ備え、スピーカ３０１以外の各部は制御部１０１が備えていても良い。
【００６２】
スピーカ３０１は、ミキサ３０２及びハイパスフィルタ３０３と接続されている。
ミキサ３０２は、ローパスフィルタ３０４及びアンプ３０６と接続されている。
ハイパスフィルタ３０３は、アンプ３０５と接続されている。
ローパスフィルタ３０４は、アンプ３０７と接続されている。
アンプ３０５、アンプ３０６及びアンプ３０７は、受話制御部３０８と接続されている。
受話制御部３０８は、タイマー３０９と接続されている。
【００６３】
スピーカ３０１は音声や超音波を出力する装置である。スピーカもマイクも基本原理は「電磁誘導」であり、スピーカとマイクの構造は基本的に同じであるため、スピーカ３０１で音を受けることも可能であり、スピーカ３０１はマイクのように振動を電気信号に変換できる。
なお、スピーカ３０１から発した超音波が使用者に当たって跳ね返ってくるまでの時間として期待できる時間値を反射音検出時間とする。
ミキサ３０２は複数の信号を混合する回路である。ここでは、音声の電気信号と超音波成分を含んだ電気信号を混ぜる。
ハイパスフィルタ３０３は高音を通過させるフィルタであり、逆の言い方をするとローカットフィルタである。ここでは、受け取った電気信号から超音波成分以外を除去する。なお、受け取った電気信号とは、ミキサ３０２で混ぜた電気信号を変換してスピーカ３０１から発した音声や超音波に対して、反射音として戻ってきたものを再び電気信号に変換したものである。
ローパスフィルタ３０４はハイパスフィルタ３０３と逆の働きをするフィルタである。ここでは、音声の電気信号を増幅したものから超音波成分を除去する。
アンプ３０５、アンプ３０６及びアンプ３０７は音声や音響の出力信号を増幅する増幅器である。
受話制御部３０８は音声の電気信号や超音波成分を含んだ電気信号を受け取ったり出力したりする。なお、受話制御部３０８として制御部１０１を用いても良い。
タイマー３０９は受話制御部３０８により反射音検出時間が設定され、反射音検出時間の経過を検出する。
【００６４】
受話部１０２に体の一部を当てているかの検出方法について図３を参照して説明する。
スピーカ３０１以外の各部は、既存の制御部１０１の構成を利用することで構成可能である。
【００６５】
受話制御部３０８より、人の耳には聴こえない超音波成分の電気信号を、極めて短い時間だけ出力し、それはアンプ３０６で増幅される。
以下、この極めて短い時間を超音波送出時間とする。
【００６６】
次に、体の一部を当てて使用している時に、スピーカから発した超音波が使用者に当たって跳ね返ってくるまでの時間として期待できる時間値を反射音検出時間とする。
【００６７】
受話部１０２と使用者の体の一部までの距離が１ｃｍ以内とすれば、反射音検出時間は６０μｓ（マイクロ秒）以下となる。受話部１０２が送出した超音波と反射した超音波が混ざらないようにするためには、超音波送出時間は反射音検出時間より短くする必要がある。
【００６８】
受話制御部３０８より、音声の電気信号が出力されアンプ３０７で増幅されるが、ローパスフィルタ３０４により超音波成分はカットされる。
【００６９】
ミキサ３０２により超音波成分を含んだ電気信号と音声の電気信号は混ざりスピーカ３０１により音声に変換されると共に、その反射音がスピーカ３０１で再び電気信号に変換され、ハイパスフィルタ３０３に反射音を変換した電気信号が出力される。
【００７０】
反射音を変換した電気信号は、ハイパスフィルタ３０３により、超音波成分以外はカットされ、アンプ３０５で増幅後、受話制御部３０８に出力される。
【００７１】
受話制御部３０８は超音波成分を含んだ電気信号を受け取ると、タイマー３０９に反射音検出時間を設定する。
【００７２】
タイマー３０９は反射音検出時間が経過すると、受話制御部３０８に反射音の検出を終了する旨の信号を出力する。これにより、反射音検出時間終了後に反射音を受けても、これを無視することができる。
【００７３】
スピーカ３０１から出力した音が反射し、スピーカ３０１がそれを受けると、反射音は電気信号に変換され、ハイパスフィルタ３０３に出力される。
【００７４】
ハイパスフィルタ３０３により、超音波成分以外はカットされた電気信号は、アンプ３０５により増幅され受話制御部３０８に出力される。ここで反射音検出時間以内ならば、受話制御部３０８は受話部に体の一部を当てていると処理し、反射音検出時間後ならば、処理しない。
【００７５】
また、図３ではローパスフィルタ３０４を使用しているが、受話制御部３０８からアンプ３０７に出力された電気信号が超音波成分を含まないなら省略できる。
【００７６】
また、アンプは増幅器であるため、電気信号を増幅せずとも受話制御部３０８が反射音を検出できるのであれば、アンプ３０５、アンプ３０６及びアンプ３０７はなくても良い。
【００７７】
ここで、受話部１０２から出力した超音波が使用者に当たり、反射した超音波で行う検出方法は、スピーカ３０１から送出した超音波の反射音をスピーカ３０１自体が受け取り、体の一部を当てているか否かを判定するもので、既存のセンサー類を使用していない。つまり、この仕組み自体に特徴がある。
また、制御部１０１は超音波を送出するための構成が必要になるが、既存のセンサーを使用する場合に比べ、コストが安く済むという利点がある。
【００７８】
同様に、受話部１０２から出力した音声が使用者に当たり、反射した音声で行う検出方法は、スピーカ３０１から送出した音声の反射音をスピーカ３０１自体が受け取り、体の一部を当てているか否かを判定するもので、既存のセンサー類を使用していない。つまり、この仕組み自体に特徴がある。
また、新たに部品や構成の追加をする必要がなく、コストが安く済むという利点がある。
【００７９】
検出動作の詳細を、図４を使い説明する。
縦軸は電圧、横軸は時間を示す。
超音波をスピーカより出力した際、発生した電気信号を４０１に示す。
超音波の反射音をスピーカで電気信号に変換したものを４０２に示す。
波形４０２は、反射音が来るのが早いほど、波形４０１に近づくと共に、大きくなる。
波形４０２は、反射音が来るのが遅いほど、波形４０１から離れると共に、小さくなる。
超音波の送出音と反射音の電気信号のピーク値間の時間差を４０３に示す。
超音波の送出音と反射音の電気信号のピーク値間の時間差４０３が反射音検出時間以内ならば、受話部に体の一部を当てていると判断する。
【００８０】
第２の実施形態を以下に説明する。
第１の実施形態とは、受話部周辺の構成が図５である点と、一定時間待機後に、制御部１０１によって無音状態であるかの判定を行う点が異なる。その他の部分は同様である。
【００８１】
第２の実施形態における受話部周辺の構成について説明する。
受話部１０２は、スピーカ５０１と、アンプ５０２と、受話制御部５０３と、タイマー５０４を備える。
なお、受話部１０２はスピーカ５０１のみ備え、スピーカ５０１以外の各部は制御部１０１が備えていても良い。
【００８２】
スピーカ５０１は、アンプ５０２と接続されている。
アンプ５０２は、受話制御部５０３と接続されている。
受話制御部５０３は、タイマー５０４と接続されている。
【００８３】
スピーカ５０１以外は全て制御部１０１の既存の構成である。
受話制御部５０３より出力された音声の電気信号は、アンプ５０２で増幅された後、スピーカ５０１で音声に変換され出力される。
【００８４】
出力された音声が反射し、スピーカ５０１で受けることで、反射音は電気信号に変換され、アンプ５０２に出力される。
ここで、反射音が電気信号に変換される理由は、スピーカ５０１とマイクの構造が基本的に同じであるため、スピーカ５０１から送出された音声が反射してスピーカ５０１に当たると、マイクとしての機能により電気信号を発生させるからである。
【００８５】
この電気信号はアンプ５０２にとって逆起電力となるためアンプ５０２にとって余計な負荷としてかかる。
【００８６】
受話制御部５０３はこの余計な負荷を分析、処理することで逆起電力を検知し、反射音が届いたと認識し、電子装置に体の一部を当てているか否か判断する。
【００８７】
受話制御部５０３は、反射音検出時間内にスピーカ５０１から送出された音声の反射音を受け取ったと判断した場合、使用者が受話部１０２に体の一部を当てているものとして処理し、反射音検出時間後ならば、反射音の受け取りの成否に関わらず、受話部に体の一部を当てていないものとして処理する。
【００８８】
検出機能は、間欠的に起動される。間欠時間による待機経過後、制御部は使用中の無音状態であるか判定する。無音状態でないと判定されれば、検出機能は起動するが、無音状態であると判定されれば、検出機能の起動は中止し、再度間欠時間だけ待機する。
【００８９】
図２のフローチャートを用いて説明すると、一定時間待機（ステップＳ２０５）の後に検出機能ＯＮ（ステップＳ２０１）へ移行するところが、再度一定時間待機（ステップＳ２０５）を行う処理となり異なる。
これにより、使用中の無音状態では検出機能は起動せず、省電力化、通常電力化のどちらの状態であっても、その状態を維持する。
【００９０】
なお、使用中の無音状態における検出機能の制御は、上記の方法以外でも可能とする。
例えば、無音状態での処理方法として、有音になるのを待つ方法、又は、上記間欠時間を一時的に短くする方法も考えられる。
【００９１】
また、時間により間欠するのではなく、有音の時に起動し判定したら、一定時間を空けた後に再び有音を待つようにしても良い。
【００９２】
第３の実施形態を以下に説明する。
第１の実施形態とは、検出機能にカメラを使用する点と使用開始直後に前処理を行う点だけ異なる。
【００９３】
図６を参照して第３の実施形態の構成図を説明する。
第３の実施形態の電子装置は、制御部６０１と、カメラ部６０２と、表示部６０３と、無線部６０４と、入力部６０５と、記憶部６０６を備える。
制御部６０１は、カメラ部６０２、表示部６０３、無線部６０４、入力部６０５、及び記憶部６０６と接続されている。
【００９４】
制御部６０１は電子装置の各部を制御し、各種機能を起動させる。
カメラ部６０２は、ここでは電子装置に内蔵されたデジタルカメラである。デジタルカメラとは、一般にＣＣＤやＣＭＯＳを始めとする光に反応する半導体素子を使って映像を電気信号に変換し、デジタルデータとしてフラッシュメモリを始めとする記憶媒体に記憶する装置である。簡単にいえばカメラのフィルムに相当する部分を電子センサーとフラッシュメモリで置き換えたものである。但し、デジタルカメラは一例であり、実際には、カメラ部６０２はデジタルカメラに限定するものではない。
表示部６０３はＬＣＤとバックライトから構成され、文字又は画像の画面表示を行う。
無線部６０４は無線通信によるデータの送受信を行う装置である。なお、当該電子装置がポータブルＭＤ（ミニディスク）を始めとする通信を行わない音響再生装置の場合、無線部６０４は不要である。
入力部６０５は利用者からの命令や操作に関する入力を受け付ける装置である。
記憶部６０６はプログラムやデータを保存する記憶装置である。
電源部６０７は主にバッテリーであり、電気回路に電力供給を行う。なお、電源部６０７は着脱可能なバッテリーの他、電子装置や電気回路に内蔵されたバッテリーや電池も含む。
【００９５】
カメラ部６０２は使用中の時、体の一部に対面する向きのカメラ部６０２とする。（以後、内向きのカメラ部６０２と呼ぶ）
使用開始時に行う前処理を以下に示す。図２において、使用開始直後、前処理を行ってから、検出機能（ステップＳ２０１）に移行する。
【００９６】
電子装置で使用する場合、使用者は表示部６０３を見ながら使用開始の指示の入力をする。
入力して発信すると、カメラ６０２が起動し、カメラ６０２は使用者の居る環境の照度を検出して記憶部６０６に記憶する。この照度を「初期照度」と呼ぶ。
一方、使用者が使用中、電子装置に体の一部を当てている状態でカメラ６０２が検出した照度を「現在照度」と呼ぶ。
【００９７】
本発明の第３の実施形態の動作について図７のフローチャートにより説明する。
制御部６０１は、使用中に移行したら、カメラ部６０２をＯＮさせる（ステップＳ７０１）。
制御部６０１は、カメラ部６０２が入力した照度情報を、初期照度として記憶部６０６に記憶する（ステップＳ７０２）。
制御部６０１は、初期照度から、電子装置に体の一部を当てているかを判断するための閾値を求める。以降、この閾値を閾値１とする（ステップＳ７０３）。
制御部６０１は、電子装置を体の一部から離したかを判断するための閾値を求める。この閾値は、閾値１にヒステリシスを考慮したものである。以降、この閾値を閾値２とする（ステップＳ７０４）。なお、ヒステリシスとは、印加された入力値の方向性前歴に依存して入力値に対応する出力値が異なる機器又は装置の特性のことである。
制御部６０１は、カメラ部６０２をＯＦＦさせる（ステップＳ７０５）。
【００９８】
体の一部を当てているかの判定方法を以下に示す。
制御部６０１は、カメラ部６０２が入力した情報から、照度を求める。この照度を現在照度として記憶部６０６に記憶する。
ここで、電子装置が通常電力状態の場合は、制御部６０１は、閾値１と現在照度を比較し、現在照度の方が高ければ、通常電力状態を維持させ、現在照度の方が低ければ、省電力状態に移行させる。
通常電力状態とは、省電力化でＯＦＦした電気回路への電源部６０７からの電力供給をＯＮしている状態である。
省電力状態とは、使用者が電子装置に体の一部を当てている時、その状態では動作不要な電気回路への電源部６０７からの電力供給をＯＦＦしている状態である。
【００９９】
電子装置が省電力状態の場合は、制御部６０１は、閾値２と現在照度を比較し、現在照度の方が高ければ、通常電力状態に移行させ、現在照度の方が低ければ、省電力状態を維持させる。
【０１００】
一般的に、電子装置の使用者は発信、応答操作を表示部で確認しながら行い、操作終了後、電子装置に体の一部を当てる。初期照度は、使用者が発信、応答操作を行う時に求める。これに対し、使用者が電子装置に体の一部を当てると、内向きのカメラ部６０２のレンズと被写体である使用者が接近するため、カメラ部６０２が入力する情報の照度は初期照度と比べ低くなる。
【０１０１】
閾値１には、電子装置に体の一部を当てた時の照度を設定する。上記より、閾値１は初期照度と比べ低く設定する。
【０１０２】
閾値２には、閾値１に少し照度の値を足すことで、ヒステリシス特性を持たせる。
以上より、初期照度と比べ閾値１、閾値２は低く設定するが、閾値２は閾値１より高く設定する。
【０１０３】
閾値決定に以下の条件を加味することができる。
晴天時の屋外の照度の変位傾向を図８に示す。
縦軸は照度、横軸は時間帯とし、８０１は使用者の居る環境の照度の変位傾向を、８０２は電子装置に体の一部を当てている時の照度の変位傾向を示す。
８０１と８０２の照度差は、昼間の方が高く、深夜の方が低い。
【０１０４】
使用開始時、制御部６０１は、初期照度が高いと判断すると、閾値１を初期照度より大幅に低い値にする。
閾値２は、閾値１に少し照度を足すことで求めるが、初期照度が高いほど、足される照度は高い。
【０１０５】
逆に、初期照度が低いと判断すると、閾値１を初期照度より小幅に低い値にする。
閾値２は、閾値１に少し照度を足すことで求めるが、初期照度が低いほど、足される照度は低い。
【０１０６】
さらに、現在照度の長時間的変位を観測し、閾値を補正するように構成することもできる。
【０１０７】
また、上記とは別の検出方法として、以下の検出方法を示す。
電子装置に体の一部を当てると内向きのカメラ部６０２のレンズと被写体である使用者が接近するため、レンズの焦点が合わず、カメラ部６０２から入力する画像はぼやける。制御部は、カメラ部６０２から入力した画像のぼやけ具合から、使用者が電子装置に体の一部を当てていると判断する。
【０１０８】
図９を参照して第４、第５、第６の実施形態の構成図を説明する。
第４、第５、第６の実施形態の電子装置は、制御部９０１と、センサー部９０２と、表示部９０３と、無線部９０４と、入力部９０５と、記憶部９０６を備える。
制御部９０１は、センサー部９０２、表示部９０３、無線部９０４、入力部９０５、及び記憶部９０６と接続されている。
【０１０９】
制御部９０１は電子装置の各部を制御し、各種機能を起動させる。
センサー部９０２は接触スイッチ又は温度センサー又は近接センサーである。実施形態により使用される検出機能が異なる。接触スイッチは、電子装置に体の一部を当てるとＯＮ状態になるスイッチである。温度センサーは、センサー部又はその周辺の温度の変化を検出するセンサーである。近接センサーは、物体の接近及び近傍の物体の有無を非接触で検出するものである。
表示部９０３はＬＣＤとバックライトから構成され、文字又は画像の画面表示を行う。
無線部９０４は無線通信によるデータの送受信を行う装置である。なお、当該電子装置がポータブルＭＤ（ミニディスク）を始めとする通信を行わない音響再生装置の場合、無線部９０４は不要である。
入力部９０５は利用者からの命令や操作に関する入力を受け付ける装置である。
記憶部９０６はプログラムやデータを保存する記憶装置である。
電源部９０７は主にバッテリーであり、電気回路に電力供給を行う。なお、電源部９０７は着脱可能なバッテリーの他、電子装置や電気回路に内蔵されたバッテリーや電池も含む。
【０１１０】
まず、第４の実施形態を説明する。
第２の実施形態とは、センサー部９０２の検出機能として接触スイッチを使用するところが異なる。また、図２のフローチャートにおいて、検出機能ＯＮ（ステップＳ２０１）、検出機能ＯＦＦ（ステップＳ２０４）、（ステップＳ２０７）は不要となる。その他の部分は同様とする。
接触スイッチは、電子装置に体の一部を当てると必ずＯＮ状態になるような位置に配置する。
使用中、制御部９０１は接触スイッチの状態を見るだけで、電子装置に体の一部を当てているか判定する。
【０１１１】
また、他の方法として、制御部９０１が接触スイッチの状態を見ることなく、チャタリング吸収した割り込みでも判定することができる。
この場合、接触スイッチとしては、プッシュスイッチ、マイクロスイッチが使用できる。
【０１１２】
第５の実施形態を説明する。
第１の実施形態とは、センサー部９０２の検出機能として温度センサーを使用するところが異なり、その他の部分は同様とする。
温度センサーとしては白金測温抵抗体、半導体抵抗温度センサー、熱電対センサー、ＩＣ化温度センサーが使用できる。
【０１１３】
第６の実施形態を説明する。
第１の実施形態とは、センサー部９０２の検出機能として近接センサーを使用するところが異なり、その他の部分は同様とする。
近接センサーとしては、静電容量形近接センサーが使用できる。
【０１１４】
上記した第１〜第６の実施形態を適宜組み合わせることもできる。
組み合わせの一例と判定方法の構成法を第７の実施形態として説明する。
【０１１５】
図１０を参照して第７の実施形態の構成図を説明する。
第７の実施形態の電子装置は、制御部１００１と、受話部１００２Ａと、カメラ部１００２Ｂと、センサー部１００２Ｃと、表示部１００３と、無線部１００４と、入力部１００５と、記憶部１００６を備える。
制御部１００１は、受話部１００２Ａ、カメラ部１００２Ｂ、センサー部１００２Ｃ、表示部１００３、無線部１００４、入力部１００５、及び記憶部１００６と接続されている。
【０１１６】
制御部１００１は電子装置の各部を制御し、各種機能を起動させる。
受話部１００２Ａは音波を出力する装置であり、使用中に使用者の体の一部を当てられる。また、音を受けることも可能である。ここでいう音波とは、超音波、通話相手側の音声、又は電子装置が発生／再生する音響のことである。
カメラ部１００２Ｂは、ここでは電子装置に内蔵されたデジタルカメラである。デジタルカメラとは、一般にＣＣＤやＣＭＯＳを始めとする光に反応する半導体素子を使って映像を電気信号に変換し、デジタルデータとしてフラッシュメモリを始めとする記憶媒体に記憶する装置である。簡単にいえばカメラのフィルムに相当する部分を電子センサーとフラッシュメモリで置き換えたものである。但し、デジタルカメラは一例であり、実際には、カメラ部１００２Ｂはデジタルカメラに限定するものではない。
センサー部１００２Ｃは接触スイッチ又は温度センサー又は近接センサーの少なくとも１つが使用される。接触スイッチは、電子装置に体の一部を当てるとＯＮ状態になるスイッチである。温度センサーは、センサー部又はその周辺の温度の変化を検出するセンサーである。近接センサーは、物体の接近及び近傍の物体の有無を非接触で検出するものである。
表示部１００３はＬＣＤとバックライトから構成され、文字又は画像の画面表示を行う。
無線部１００４は無線通信によるデータの送受信を行う装置である。なお、当該電子装置がポータブルＭＤ（ミニディスク）を始めとする通信を行わない音響再生装置の場合、無線部１００４は不要である。
入力部１００５は利用者からの命令や操作に関する入力を受け付ける装置である。
記憶部１００６はプログラムやデータを保存する記憶装置である。
電源部１００７は主にバッテリーであり、電気回路に電力供給を行う。なお、電源部１００７は着脱可能なバッテリーの他、電子装置や電気回路に内蔵されたバッテリーや電池も含む。
【０１１７】
第７の実施形態は、第１の実施形態である受話部１００２Ａによる超音波の反射音による検出機能と、第３の実施形態であるカメラ部１００２Ｂによる検出機能、第４の実施形態である接触スイッチ（センサー部１００２Ｃ）による検出機能より構成され、以下のように判定する。なお、受話部１０２と接触スイッチ（センサー部１００２Ｃ）は一体であっても良い。フローチャートについては、第１の実施形態と同様である。
【０１１８】
電子装置に体の一部を当てているかの検出の際、上記３つの検出機能が起動する順番は各電子装置の構成により、適切に選択する。
【０１１９】
制御部１０１は、上記３つの検出機能を基に、以下に示す３つの判断方法から選択して省電力化方法を構成しても良い。
【０１２０】
判断方法の１つとして、上記３つの検出機能全てが、電子装置に体の一部を当てていると判断した場合、省電力化する。
【０１２１】
その他の判断方法として、上記３つの検出機能のうち、いずれか２つの検出方法が、電子装置に体の一部を当てていると判断した場合、省電力化する。
【０１２２】
その他の判断方法として、上記３つの検出機能のうち、いずれか１つの検出方法が、電子装置に体の一部を当てていると判断した場合、省電力化する。
【０１２３】
なお、使用中、電子装置を体の一部から離した時の判断方法も、体の一部を当てた判定と同様に、上記３つの判断方法から選択して省電力化方法を構成しても良い。
【０１２４】
第７の実施形態で示した以外にも、上記した第１〜第６の実施形態を組み合わせることができる。
【０１２５】
第８の実施形態について、ここでは図１０を参照して説明する。
第８の実施形態として、ＴＶ電話機能付き電子装置によるＴＶ電話モードでの使用中、受話部１００２Ａに体の一部を当てる使用状態に移行する際、表示部１００３だけでなく、カメラ部１００２Ｂ、画像送受信用コーデックの電力供給をＯＦＦすることで、消費電力を低減させる。
体の一部を当てているかの検出は、第１〜第７の実施形態で使用した検出機能から構成する。
【０１２６】
第８の実施形態に関して、第１の実施形態とは、図２のフローチャートのステップＳ２０３において、表示部１００３と共に、カメラ部１００２Ｂ、画像送受信用コーデックの電力供給をＯＦＦするところ、ステップＳ２０６において、表示部１００３と共に、カメラ部１００２Ｂ、画像送受信用コーデックの電力供給をＯＮするところが異なる以外は同様である。
但し、第３の実施形態のみカメラ部を検出機能として使用するため異なる。
【０１２７】
第９の実施形態として、第１〜第７の実施形態の検出機能を搭載した電子装置において、使用中、使用者が任意のボタン、又は予め決められたボタンを押下することで、省電力化された電気回路への電源部からの電力供給をＯＮできるようにする。
使用中、使用者が任意のボタン、又は予め決められたボタンを押下する。
電子装置の表示部への電力供給がＯＮされる。
【０１２８】
第１〜第７の実施形態の検出機能と、第８の実施形態、第９の実施形態の機能を搭載した電子装置において、使用者が検出機能のＯＮ、ＯＦＦを設定できることを第１０の実施形態とする。
【０１２９】
図１１は、第１〜第７の実施形態の検出機能と、第８の実施形態、第９の実施形態の機能を搭載した電子装置において、使用中、表示部を表示するか否かの設定画面のイメージ図である。
【０１３０】
また、第１〜第７の実施形態の検出機能と、第８の実施形態の機能を搭載した電子装置、第１〜第７の実施形態の検出機能と、第９の実施形態の機能を搭載した電子装置でも第１０の実施形態の機能を搭載できる。
【図面の簡単な説明】
【０１３１】
【図１】図１は、本発明の第１、第２の実施形態の構成を示すブロック図である。
【図２】図２は、本発明の基本の動作のフローチャートを示す図である。
【図３】図３は、受話部の第１の構成を示すブロック図である。
【図４】図４は、検出動作の詳細を示す図である。
【図５】図５は、受話部の第２の構成を示すブロック図である。
【図６】図６は、本発明の第３の実施形態の構成を示すブロック図である。
【図７】図７は、本発明の第３の実施形態の動作のフローチャートを示す図である。
【図８】図８は、晴天時の屋外の照度の変位を示す図である。
【図９】図９は、本発明の第４、第５、第６の実施形態の構成を示すブロック図である。
【図１０】図１０は、本発明の第７、第８の実施形態の構成を示すブロック図である。
【図１１】図１１は、使用中の表示画面の設定画面を示す図である。
【符号の説明】
【０１３２】
１０１…  制御部
１０２…  受話部
１０３…  表示部
１０４…  無線部
１０５…  入力部
１０６…  記憶部
１０７…  電源部
３０１…  スピーカ
３０２…  ミキサ
３０３…  ハイパスフィルタ
３０４…  ローパスフィルタ
３０５…  アンプ
３０６…  アンプ
３０７…  アンプ
３０８…  受話制御部
３０９…  タイマー
４０１…  超音波の波形
４０２…  超音波の反射音の波形
４０３…  波形のピーク値間の時間差
５０１…  スピーカ
５０２…  アンプ
５０３…  受話制御部
５０４…  タイマー
６０１…  制御部
６０２…  カメラ部
６０３…  表示部
６０４…  無線部
６０５…  入力部
６０６…  記憶部
６０７…  電源部
８０１…  使用者の居る環境の照度の変位傾向
８０２…  体の一部を当てている時の照度の変位傾向
９０１…  制御部
９０２…  センサー部
９０３…  表示部
９０４…  無線部
９０５…  入力部
９０６…  記憶部
９０７…  電源部
１００１…  制御部
１００２Ａ…  受話部
１００２Ｂ…  カメラ部
１００２Ｃ…  センサー部
１００３…  表示部
１００４…  無線部
１００５…  入力部
１００６…  記憶部
１００７…  電源部
【図１】
2006050505.tif 000003
【図２】
2006050505.tif 000004
【図３】
2006050505.tif 000005
【図４】
2006050505.tif 000006
【図５】
2006050505.tif 000007
【図６】
2006050505.tif 000008
【図７】
2006050505.tif 000009
【図８】
2006050505.tif 000010
【図９】
2006050505.tif 000011
【図１０】
2006050505.tif 000012
【図１１】
2006050505.tif 000013